(57)【要約】【課題】複数枚の宝くじに商品名を付したパッケージ商品について、売り手である販売店と買い手である顧客が商品に関するデータを共有するとともに、パッケージ商品毎の当選確率を提示して娯楽性を高めることにより、パッケージ商品を効果的に販売促進することができる宝くじパッケージ商品販売支援システムを提供する。【解決手段】それぞれの販売店が企画した宝くじパッケージ商品に関する情報とそれぞれの当選確率に関する情報を、販売店サーバ３０、４０から、ポータルサイトサーバ２０のパッケージ商品記憶部２１、当選データ記憶部２２に送信する。クライアント端末１０からは、パッケージ商品記憶部２１、当選データ記憶部２２を参照してパッケージ商品を選択し、購入申込みや購入予約に関する情報をパッケージ商品選択部２３に送信し、この情報は該当する販売店サーバに送信される。【選択図】          図２
2004192578.tif 000002
【特許請求の範囲】
【請求項１】
宝くじのパッケージ商品の販売を支援する販売支援システムであって、
宝くじのパッケージ商品に関する商品情報を格納する商品情報格納手段と、
前記パッケージ商品の当選確率に関する当選情報を格納する当選情報格納手段と、
通信ネットワークを通じて接続された利用者端末から前記商品情報又は前記当選情報の少なくとも一つに関する参照要求を受付ける参照要求受付手段と、
を備えることを特徴とする販売支援システム。
【請求項２】
前記パッケージ商品の購入に関する購入情報を受付ける購入情報受付手段と、
前記購入情報を通信ネットワークを通じて前記パッケージ商品を販売する販売者の端末装置又は情報格納装置に送信する購入情報送信手段と、
を備えることを特徴とする請求項１記載の販売支援システム。
【請求項３】
前記パッケージ商品の購入予約に関する予約情報を受付ける予約情報受付手段と、
前記予約情報を通信ネットワークを通じて前記パッケージ商品を販売する販売者の端末装置又は情報格納装置に送信する予約情報送信手段と、
を備えることを特徴とする請求項１記載の販売支援システム。
【請求項４】
前記商品情報格納手段には、通信ネットワークを通じて前記パッケージ商品を販売する複数の販売者の端末装置又は情報格納装置から受付けた商品情報が格納されていることを特徴とする請求項１乃至３いずれかに記載の販売支援システム。
【請求項５】
前記複数の販売者の端末装置又は情報格納装置は地域別に分散して配置されており、前記パッケージ商品として地域の特性に応じた商品が取扱われていることを特徴とする請求項４記載の販売支援システム。
【請求項６】
前記当選情報格納手段には、通信ネットワークを通じて前記パッケージ商品を販売する複数の販売者の端末装置又は情報格納装置から受付けた当選情報が格納されていることを特徴とする請求項１乃至３いずれかに記載の販売支援システム。
【請求項７】
利用者に関する認証情報を含む利用者の属性情報を格納する属性情報格納手段と、
前記利用者端末からの認証情報を受付ける認証情報受付手段と、
前記認証情報受付手段が受付けた認証情報と前記属性情報格納手段に格納された認証情報を参照して利用者の認証を行う利用者認証手段と、
を備えることを特徴とする請求項１乃至６いずれかに記載の販売支援システム。
【発明の詳細な説明】
【０００１】
【発明の属する技術分野】
本発明は、複数枚の宝くじに商品名を付したパッケージ商品を効果的に販売促進するための、宝くじパッケージ商品販売支援システムに関するものである。
【０００２】
【従来の技術】
従来の宝くじ販売は、販売店の店頭において人手により行わる形態が中心となっている。近時は顧客サービスの手段として、ＡＴＭやインターネットなどを利用した通信販売など、販売方法の多様化が進んでおり、インターネット等の通信ネットワークを利用した宝くじ販売システムに関する発明も開示されている（例えば、特許文献１参照）。
【０００３】
また、顧客が宝くじを購入する場合には、過去の当選実績等を考慮して特定の番号を指定して購入するなど、より娯楽性の高い購入方法も普及しているが、このような番号を特定した購入ニーズに対応するために、インターネットを利用した宝くじ番号指定による宝くじ販売方式に関する発明も開示されている（例えば、特許文献２参照）。
【０００４】
この他に、従来にない宝くじの販売方法として、本件出願人は「タテバラ」（登録商標）と名付けた連続番号のバラ売り券をセット販売してバラ売りでありながら前後賞を狙えるパッケージ商品や、宝くじを特定の神社で祈願して販売する神社祈願済みのパッケージ商品などの新規なパッケージ商品を開発して、宝くじをより娯楽性の遊びとして楽しみたいという顧客のニーズに応えている。
【０００５】
【特許文献１】特開２００１−３０６７４７号公報
【特許文献２】特開２００１−２９０９０４号公報
【０００６】
【発明が解決しようとする課題】
前記特許文献１によって、顧客が宝くじを購入する際の利便性を高めることはできるものの、この発明は宝くじの娯楽性を高めることに貢献するものではない。また、前記特許文献２記載の発明によって、顧客は自らの求めている特定の番号を購入することができる機会は増加するものの、番号の指定買い自体は以前から存在するものであり、顧客に新たな楽しみ方を提案できるものではない。
【０００７】
本件出願人が提供している新たなパッケージ商品については、これまでにない新たな楽しみ方を提案するものではあるが、パッケージの企画や販売はそれぞれの販売店の工夫に委ねられるため、従来のような販売店での店頭販売による限りは、顧客にとってパッケージを選択する余地は限定的なものになってしまう。例えば、前記の神社祈願済みのパッケージであれば、全国に存在する様々な神社の祈願済み宝くじに対するニーズがあったとしても、物理的な問題から１つの販売店が顧客の多様なニーズに応えることは困難である。
【０００８】
逆に販売店の立場から見ても、販売店毎に地域性等に応じた独自のパッケージを企画したとしても、現状ではそれらを広く全国の顧客に周知させることは困難である。販売店毎に多種多様なパッケージを用意することもコスト対効果の面から問題があり、企画したパッケージ商品については広く認知させ、なるべく多量に販売できることが望ましい。
【０００９】
また、宝くじの楽しみ方として、当選くじの出やすい販売店を統計的に分析することは以前より広く行われているが、それぞれのパッケージ商品についても当選確率を算出して提示することができれば、同様に買い手の楽しみを増幅することができるとも考えられる。
【００１０】
本発明はこれらの課題を解決するためになされたものであり、複数枚の宝くじに商品名を付したパッケージ商品について、売り手である販売店と買い手である顧客が商品に関するデータを共有するとともに、パッケージ商品毎の当選確率を提示して娯楽性を高めることにより、パッケージ商品を効果的に販売促進することができる宝くじパッケージ商品販売支援システムを提供することを目的とするものである。
【００１１】
【課題を解決するための手段】
これらの課題を解決するために、本発明は、宝くじのパッケージ商品の販売を支援する販売支援システムであって、宝くじのパッケージ商品に関する商品情報を格納する商品情報格納手段と、前記パッケージ商品の当選確率に関する当選情報を格納する当選情報格納手段と、通信ネットワークを通じて接続された利用者端末から前記商品情報又は前記当選情報の少なくとも一つに関する参照要求を受付ける参照要求受付手段と、を備えることを特徴とする。
【００１２】
宝くじのパッケージ商品とは、上記の通り複数枚の宝くじに商品名を付してパッケージとして販売する商品のことをいう。商品情報としてはパッケージのコンセプトや販売枚数などが用いられ、当選確率としてはパッケージ商品の中から過去に高額当選くじが出た本数や確率等が用いられる。この発明により、パッケージ商品を購入したい顧客は、インターネット等の通信ネットワークを通じて多様なパッケージ商品に関する商品情報を取得できるとともに、それぞれの当選確率情報を取得して、パッケージ商品購入の参考にすることができる。
【００１３】
また、本発明は、前記パッケージ商品の購入に関する購入情報を受付ける購入情報受付手段と、前記購入情報を通信ネットワークを通じて前記パッケージ商品を販売する販売者の端末装置又は情報格納装置に送信する購入情報送信手段と、を備えることを特徴とすることもできる。前記パッケージ商品の購入予約に関する予約情報を受付ける予約情報受付手段と、前記予約情報を通信ネットワークを通じて前記パッケージ商品を販売する販売者の端末装置又は情報格納装置に送信する予約情報送信手段と、を備えることを特徴としてもよい。
【００１４】
この構成においては、顧客が多様なパッケージの中から購入したい商品を選択すると、商品の購入や購入予約に関する情報が販売店に送信され、購入や購入予約を行うことができるため、顧客が多様なパッケージ商品を購入する利便性を高めることができる。
【００１５】
さらに、本発明は、前記商品情報格納手段には、通信ネットワークを通じて前記パッケージ商品を販売する複数の販売者の端末装置又は情報格納装置から受付けた商品情報が格納されていることを特徴とすることもできる。前記複数の販売者の端末装置又は情報格納装置は地域別に分散して配置されており、前記パッケージ商品として地域の特性に応じた商品が取扱われていることを特徴としてもよい。
【００１６】
この構成においては、多数の販売店が独自のパッケージ商品を企画すると、企画した商品情報を登録することにより、顧客に対してまとめて商品情報を提示することができる。このように構成すると、販売店は多くの顧客に企画したパッケージの商品情報を提供できるとともに、顧客側も多様なパッケージから自らの好みで商品を購入することが可能になり、宝くじの娯楽性をより高めることができる。また、広範な地域の販売店から商品情報を集約するよう構成すると、例えば遠隔地であるために物理的に購入が困難な地域の神社で祈願したパッケージを購入するなど、顧客は多様な商品を購入することが可能になる。
【００１７】
さらに、本発明は、前記当選情報格納手段には、通信ネットワークを通じて前記パッケージ商品を販売する複数の販売者の端末装置又は情報格納装置から受付けた当選情報が格納されていることを特徴とすることもできる。
【００１８】
このように構成すると、販売店が自ら提供したパッケージ商品に関する当選情報を提供することにより、顧客はこれらの情報を参考にしてパッケージ商品を選択することができるので、商品選択による娯楽性を高めることができる。
【００１９】
さらに、本発明は、利用者に関する認証情報を含む利用者の属性情報を格納する属性情報格納手段と、前記利用者端末からの認証情報を受付ける認証情報受付手段と、前記認証情報受付手段が受付けた認証情報と前記属性情報格納手段に格納された認証情報を参照して利用者の認証を行う利用者認証手段と、を備えることを特徴とすることもできる。
【００２０】
このように構成すると、本発明によるパッケージ商品の情報提供や販売を特定の会員に限定して行うことができるので、会員向けの特別パッケージやオーダーメード商品の販売等により、さらに商品の提供方法にバリエーションを持たせて、顧客の娯楽性を高めることができる。
【００２１】
【発明の実施の形態】
本発明の実施の形態について、図面を用いて以下に詳細に説明する。図１、図２は、本発明にかかる宝くじパッケージ商品販売支援システムの概要及び詳細な構成を示すブロック図である。図３、図４、図５は、本発明にかかる宝くじパッケージ商品販売支援システムのそれぞれパッケージ商品記憶部、当選データ記憶部、販売店サーバに記録された商品情報の一例を示す図である。
【００２２】
図１において、本発明にかかる宝くじパッケージ商品販売支援システムはポータルサイトサーバ２０に含まれるシステムであって、クライアント端末１０、販売店サーバ３０、販売店サーバ４０とインターネットを通じて接続されている。ポータルサイトサーバ２０には、販売店サーバ３０、販売店サーバ４０からそれぞれの販売店が販売する宝くじのパッケージ商品に関する情報が集められ、宝くじを購入したい顧客は、クライアント端末１０よりこれらの情報を参照することができる。販売店サーバはさらに多くのものと接続されてもよく、接続されるハードウェアは販売店から必要なデータを送受信できるものであれば、パソコンなどの端末機器であってもよい。
【００２３】
図２は、本発明にかかる宝くじパッケージ商品販売支援システムについて、ポータルサイトサーバ２０を中心としたさらに詳しい構成を示したものである。ポータルサイトサーバ２０には、パッケージ商品記憶部２１、当選データ記憶部２２、パッケージ商品選択部２３が含まれている。
【００２４】
パッケージ商品記憶部２１には、販売店サーバ３０、販売店サーバ４０から送信されたそれぞれの販売店が企画したパッケージ商品に関する情報が記憶されている。図３は、パッケージ商品記憶部２１の一例を示したものであるが、「Ａ神社祈願済み」「Ａ物語」など、それぞれの販売店が独自の地域性やコンセプトで企画した商品について、取扱い店舗名や枚数などのフィールドが設けられている。番号指定で購入したい顧客ニーズに応えるために、番号についてのフィールドを設けてもよい。パッケージ商品を購入したい顧客は、クライアント端末１０からこの情報にアクセスすることにより、遠隔地の販売店で企画された商品も含めて、様々な商品情報を取得することができる。
【００２５】
当選データ記憶部２２には、販売店サーバ３０、販売店サーバ４０から送信されたそれぞれの販売店が企画したパッケージ商品の当選確率等に関する情報が記憶されている。販売店は自ら企画した商品に含まれる宝くじの番号を控えておいて、当選番号と照合することによりパッケージ商品別の当選データを作成することができるが、これらの情報を当選データ記憶部２２に送信する。
【００２６】
図４は、当選データ記憶部２２の一例を示したものであるが、それぞれのパッケージ商品について過去の当選くじの本数を記録するフィールドが設けられ、顧客はクライアント端末１０からこの情報を参照することにより、パッケージ商品を選択する際の参考とすることができる。尚、当選くじに関する情報は、図４のように本数を用いてもよいし、当選くじの出た確率を用いることとしてもよい。
【００２７】
パッケージ商品選択部２３は、顧客がクライアント端末１０から選択した購入したいパッケージ商品に関するデータを受信し、それぞれ該当するパッケージ商品を取扱う販売店サーバに対して前記データを送信する。ここで送受信される情報は、パッケージ商品の購入注文に関するものであってもよいし、単なる予約に関するものであってもよい。
【００２８】
図５は、本発明にかかる宝くじパッケージ商品販売支援システムの、販売店サーバに記録された商品情報の一例を示している。販売店側のサーバでは、このように宝くじ１枚毎の情報を記録したデータベースを含むよう構成すると、ポータルサイトサーバ２０のパッケージ商品記憶部２１、当選データ記憶部２２へのデータの書込みを効率的に行うことができる。ここでは、名称及び番号の異なる宝くじ１枚毎に設けられたレコードに対して、その宝くじが封入されたパッケージ商品名と当選状況に関するフィールドが少なくとも設けられている。ここに記録されたデータを、ポータルサイトサーバ２０のパッケージ商品記憶部２１、当選データ記憶部２２に送信するよう設定すればよい。
【００２９】
【発明の効果】
本発明により、宝くじを購入したい顧客は、新しい販売企画であるパッケージ商品について、全国各地で販売される様々なパッケージ商品からそれぞれの当選確率等を参照しながら選択することができるため、選択肢の拡大により宝くじの購入を従来以上に楽しむことが可能になる。
【００３０】
また、宝くじを販売する販売店は、自らが企画したパッケージ商品を広く顧客に提供することが可能になるため、宝くじの販売を促進することができる。
【図面の簡単な説明】
【図１】本発明にかかる宝くじパッケージ商品販売支援システムの概要を示すブロック図である。
【図２】本発明にかかる宝くじパッケージ商品販売支援システムの詳細な構成を示すブロック図である。
【図３】本発明にかかる宝くじパッケージ商品販売支援システムのパッケージ商品記憶部の一例を示す図である。
【図４】本発明にかかる宝くじパッケージ商品販売支援システムの当選データ記憶部の一例を示す図である。
【図５】本発明にかかる宝くじパッケージ商品販売支援システムの販売店サーバに記録された商品情報の一例を示す図である。
【符号の説明】
１０    クライアント端末
２０    ポータルサイトサーバ
２１    パッケージ商品記憶部
２２    当選データ記憶部
２３    パッケージ商品選択部
３０    販売店サーバ
４０    販売店サーバ
【図１】
2004192578.tif 000003
【図２】
2004192578.tif 000004
【図３】
2004192578.tif 000005
【図４】
2004192578.tif 000006
【図５】
2004192578.tif 000007